(57)【要約】      （修正有）【課題】平面型か立体型かを問わず種々のタイプのマスクの付け心地を向上させ、マスクに対する相対位置がずれることを防止・抑制して、取り扱い性にも優れたマスク支持具を提供する。【解決手段】マスクに取り付けられた状態でユーザの少なくとも口元周辺においてマスクを支持するマスク支持具１であり、ユーザの口元周辺に接触可能なリング状の支持具本体２と、支持具本体に設けられマスクの所定箇所をマスクの厚み方向の一方及び他方の両面（ユーザ側の面である内向き面、その反対側の面である外向き面）から挟む引っ掛け部３とを備える。【選択図】図２
0003229229.tif 000002
【実用新案登録請求の範囲】
【請求項１】
マスクに取り付けられた状態でユーザの少なくとも口元周辺において前記マスクを支持するマスク支持具であり、
ユーザの口元周辺に接触可能なリング状の支持具本体と、
前記支持具本体に設けられ前記マスクの所定箇所を当該マスクの厚み方向の一方及び他方の両面から挟む引っ掛け部とを備えていることを特徴とするマスク支持具。
【請求項２】
前記支持具本体のうち少なくともユーザの人中を跨ぐ位置に配置される部分が、ユーザの鼻先の高さと同程度の厚み寸法を有し且つ高さ方向に貫通する通気開口部を有するものである請求項１に記載のマスク支持具。
【請求項３】
前記支持具本体の内周縁部に高さ方向に延伸する縦リブ又は幅方向に延伸する横リブの少なくとも何れか一方を設けている請求項１又は２に記載のマスク支持具。
【請求項４】
前記支持具本体がユーザ個々のサイズに応じたオーダーメイド品である請求項１乃至３の何れかに記載のマスク支持具。
【考案の詳細な説明】
【技術分野】
【０００１】
本考案は、マスクを内側（装着者の口元側）から支持するマスク支持具に関するものである。
【背景技術】
【０００２】
新型コロナウィルス感染症（ＣＯＶＩＤ−１９）を引き起こすウイルスは、主に感染者による咳やくしゃみ、または息を吐いた際に出る飛沫を通じて感染し、急速に感染が拡大したことで、人命や社会的経済活動に多くの被害をもたらしている。このような新型コロナウィルスの感染拡大を防止することは急務であり、極めて重要である。
【０００３】
感染拡大防止策の１つとしてマスクを着用して口や鼻を覆うことが挙げられる。マスクには、不織布などのフィルター材を貼り合わせたり、その他の生地で織られ、口や鼻を直接覆うように着用する平面型タイプと、生地を口や鼻に接触させずに着用可能な立体型タイプの２つのタイプがある。平面型マスクは、製造コスト面で立体型タイプよりも有利である一方、付け心地の点で立体型マスクに劣る。
【０００４】
そこで、例えば下記特許文献には、口や鼻との間に空間を確保して外側をマスクで被覆可能な凸多角形状の支持フレームと、ユーザの顔にフィットしてマスクの気密性を確保する気密ユニットとを備えたマスク支持具が開示されている。このようなマスク支持具を用いて経面型タイプのマスクを着用すれば、口や鼻とマスクとの間に空間を確保することで付け心地が向上する。
【先行技術文献】
【特許文献】
【０００５】
【特許文献１】実用新案登録第３３２３４０２号公報
【考案の概要】
【考案が解決しようとする課題】
【０００６】
上記特許文献１に記載のマスク支持具を用いてマスクを装着する際は、先ずマスク支持具の気密ユニットをユーザの顔に当ててフィットさせ、その状態でマスク支持具の外側を被覆するようにマスクを当てて、マスクの耳掛け部を耳に掛けることになる。マスクを装着すると、マスク支持具はユーザの顔にフィットした状態でマスクを支持することができる。
【０００７】
しかしながら、上記特許文献１に記載のマスク支持具を用いてマスクを装着したまま、走ったり、素早い動作等を行った場合にマスク支持具が装着当初の位置からずれてしまい、マスク支持具によるマスクの良好な支持状態が維持できないおそれがあり、マスク支持具のずれる程度が大きい場合には、耳掛け部が耳に掛かっているマスクとの相対位置も大きく変化し、マスク支持具がマスクから抜け外れて落下するおそれもある。
【０００８】
また、上記特許文献１に記載のマスク支持具を用いてマスクを装着する場合には、マスク支持具を顔に当てた状態を片方の手でキープしながら、もう片方の手でマスク本体部分をマスク支持具に覆うようにしつつ耳掛け部を耳に掛けることになり、通常のマスクを着用する場合と比べて面倒である。さらにまた、装着していたマスクを取り外す場合に、片方の手だけを使って耳掛け部を耳から外すとマスク支持具がその自重でマスクから落下する可能性が高いため、マスク本体部分及びマスク支持具にもう片方の手を添えながら耳掛け部を耳から外すことが望まれる。つまり、上記特許文献１に記載のマスク支持具を用いると、マスクの装着時及び取り外し時に両手を使うことになり、慣れるまではユーザにとって不便なものである。
【０００９】
本考案は、このような点に着目してなされたものであって、主たる目的は、マスクの付け心地を向上させ、マスクに対する相対位置がずれることを防止・抑制して、取り扱い性にも優れたマスク支持具を提供することにある。
【課題を解決するための手段】
【００１０】
すなわち、本考案に掛かるマスク支持具は、マスクに取り付けられた状態でユーザの少なくとも口元周辺においてマスクを支持するものであり、ユーザの口元周辺に接触可能なリング状の支持具本体と、支持具本体に設けられてマスクの所定箇所を当該マスクの厚み方向の一方及び他方の両面（ユーザ側の面である内向き面、その反対側の面である外向き面）から挟む引っ掛け部とを備えていることを特徴としている。
【００１１】
このような本考案に係るマスク支持具であれば、引っ掛け部によってマスクの所定箇所を当該マスクの厚み方向の一方及び他方の両面から挟むことでマスクに簡単に取り付けることができ、この取付状態でユーザの口元周辺に支持具本体が接触し、マスクと口の間に所定の空間を形成するため、マスクが口元に直接当たる従来のマスクを使用する場合と比較して、蒸れ難く、マスクの付け心地が向上するとともに、少しの運動でも苦しくない付け心地のマスクを装着したまま、走ったり、素早い動作等を行った場合にマスク支持具が装着当初の位置からずれてしまった場合にも、引っ掛け部による挟み状態が解除されない限り、マスク支持具によるマスクの良好な支持状態を維持することができ、マスク支持具がマスクから抜け外れて落下する事態を回避することができる。また、本考案に係る支持具本体を洗って繰り返し使用することができれば、ユーザにとって経済的なメリットになる。本考案のマスク支持具と共に利用できるマスクは、平面型タイプと立体型タイプの何れであってもよい。
【００１２】
さらに、本考案に係るマスク支持具であれば、引っ掛け部でマスクを挟んだ取付状態でマスクを装着することが可能になり、通常のマスクと同じように耳掛け部を耳に掛ける動作でマスクを装着することができ、また、装着していたマスクを取り外す場合に、片方の手でマスク支持具及びマスクに手を添えずに耳掛け部を耳から外してもマスク支持具が引っ掛け部による挟み状態にある限りマスクから落下することもなく、マスクの装着時及び取り外し時に特別な動作がユーザに要求されず、これまでのマスクと同様の動作で行うことができ便利である。
【００１３】
本考案に係るマスク支持具が、支持具本体のうち少なくともユーザの人中（鼻と上唇の間にある溝）を跨ぐ位置に配置される部分が、ユーザの鼻先の高さと同程度の厚み寸法を有し且つ高さ方向に貫通する通気開口部を有するものであれば、鼻呼吸をする際の息苦しさを効果的に低減することができるとともに、通気開口部の存在によってマスク支持具の軽量化を図ることも可能である。
【００１４】
加えて、本考案に係るマスク支持具が、支持具本体の内周縁部に高さ方向に延伸する縦リブ又は幅方向に延伸する横リブの少なくとも何れか一方を設けたものであれば、口呼吸をする際にも外鼻孔から顎付近に亘ってマスクがユーザに直接当たらない良好な立体形状をリブ（縦リブ、横リブ）によって維持することができるとともに、支持具本体の頑丈さも向上する。
【００１５】
口元周辺の骨格や肉付きは性別や年齢等によって異なる。このような事情を考慮すると、本考案に係るマスク支持具の少なくとも支持具本体がオーダーメイド製品であることが好ましい。その他、支持具本体には、サイズの異なる複数種類を用意しておくことも可能である。
【考案の効果】
【００１６】
本考案によれば、マスクの所定箇所を当該マスクの厚み方向に挟むことでマスクに簡単に取り付けることができ、この取付状態でユーザの口元周辺に支持具本体が接触するため、マスクの付け心地が向上するとともに、取り扱い性に優れ、マスクに対する相対位置がずれることを防止・抑制して、取り扱い性にも優れ、運動時にもマスクから抜け落ちることなく、マスクの良好な支持状態を維持することが可能なマスク支持具を提供することができる。
【図面の簡単な説明】
【００１７】
【図１】本考案の一実施形態に係るマスク支持具の一使用例を示す図。
【図２】同実施形態に係るマスク支持具の全体斜視図。
【図３】同実施形態に係るマスク支持具を示す図。
【図４】同実施形態に係るマスク支持具をマスクに取り付けた状態をマスクの正面から見た図。
【図５】同実施形態に係るマスク支持具の一変形例を図２に対応して示す図。
【図６】同変形例に係るマスク支持具を図３に対応して示す図。
【図７】同変形例に係るマスク支持具をマスクに取り付けた状態をマスクの背面から見た図。
【図８】同実施形態に係るマスク支持具のさらに異なる一変形例を図２に対応して示す図。
【図９】同変形例に係るマスク支持具を図３に対応して示す図。
【考案を実施するための形態】
【００１８】
以下、本考案の一実施形態を、図面を参照して説明する。
【００１９】
本実施形態に係るマスク支持具１は、図１に示すように、マスクＭ（図示例は平面型タイプのマスクである）に取り付けられた状態でユーザの少なくとも口元周辺においてマスクＭを支持するものである。
【００２０】
マスク支持具１は、図２及び図３（図３（ａ），（ｂ），（ｃ），（ｄ）は、それぞれ本実施形態に係るマスク支持具１の正面図、平面図、右側面図、背面図である）に示すように、ユーザの口元周辺に接触可能なリング状の支持具本体２と、支持具本体２に設けられマスクＭの所定箇所を当該マスクＭの厚み方向の一方及び他方の両面（ユーザ側の面である内向き面、その反対側の面である外向き面の両面）から挟む引っ掛け部３とを備えている。本実施形態では、支持具本体２と引っ掛け部３を一体に有する合成樹脂製のマスク支持具１を適用している。マスク支持具１は、全体的に同じカラーのものであってもよいし、部分ごとにカラーを異ならせたものであってもよい。また、本実施形態のマスク支持具１は、上下方向及び左右幅方向においてそれぞれ対称形状を有する。したがって、本実施形態のマスク支持具１の底面図、左側面図はそれぞれ平面図、右側面図と対称にあらわれる。
【００２１】
支持具本体２は、ユーザの口元周辺を周回可能なリング状をなし、正面から見て相互に平行な横長の上パーツ２１及び下パーツ２２と、上パーツ２１及び下パーツ２２の両端部同士を連結する正面視半円弧状のサイドパーツ２３とを一体に有するものである。本実施形態では、支持具本体２の上パーツ２１がユーザの上唇と鼻先の間（人中（鼻と上唇の間にある溝）を跨ぐ位置）に配置され、下パーツ２２がユーザの下唇と顎先の間（頤唇溝（顎のくぼみ）を跨ぐ位置）に配置され、両サイドパーツ２３がユーザの口角の外側あたりに配置されるように支持具本体２の全体形状を設定している。
【００２２】
支持具本体２の前向き面（上パーツ２１、下パーツ２２及び両サイドパーツ２３の前向き面）がマスクＭに直接接触する面であり、支持具本体２の後向き面（上パーツ２１、下パーツ２２及び両サイドパーツ２３の後向き面）がユーザの口元周辺に接触する面である。支持具本体２は、幅方向中央部分が幅方向両端部分よりも前方に突出する平面視湾曲形状に設定され、且つ、厚み寸法（前後方向の寸法）が幅方向中央部分から幅方向両端部分に向かって漸次大きく（分厚く）なる形状に設定されている。特に、本実施形態では、支持具本体２の上パーツ２１の厚み寸法をユーザの鼻先の高さと同程度の厚み寸法に設定し、この上パーツ２１の所定箇所に高さ方向に貫通する通気開口部２４を形成している。通気開口部２４の形状は適宜選択することができ、本実施形態では、上パーツ２１の厚み方向中央部分に、上パーツ２１の平面形状に近似した形状（平面視湾曲形状）の通気開口部２４を採用している。また、本実施形態では、下パーツ２２にも上パーツ２１と同様に通気開口部２４を形成している。さらに、本実施形態では、支持具本体２の内周縁部に高さ方向に延伸する縦リブ２５と、幅方向に延伸する横リブ２６とを格子状に設けている。縦リブ２５及び横リブ２６の数は適宜選択することができ、本実施形態では、４本の縦リブ２５と１本の横リブ２６を支持具本体２の内周縁部に設けている。
【００２３】
引っ掛け部３は、支持具本体２のサイドパーツ２３から外側方に突出する形態で設けられ、マスクＭの所定箇所を挟むフック形状を有する。左右一対の引っ掛け部３は、それぞれマスク本体部分Ｍ１の側縁を含む所定領域をマスクＭの厚み方向に挟む機能を発揮する形状に設定されている。具体的には、支持部本体のサイドパーツ２３よりも外側方に飛び出た部分であって且つサイドパーツ２３の前向き面に連続する内側挟み面３１ａを有するインナーパーツ３１と、内側挟み面３１ａに対して所定の隙間を介して対向する面であって先端（前端）が支持具本体２のサイドパーツ２３付近に到達している外側挟み面３２ａを有するアウターパーツ３２と、これらインナーパーツ３１及びアウターパーツ３２の後端同士を接続する屈曲部３３とによってマスクＭを厚み方向に挟むように構成している。本実施形態では、外側挟み面３２ａの先端（前端）に、他の領域よりも内側挟み面３１ａに突出する凸部３４を設け、この凸部３４と内側挟み面３１ａとの隙間寸法をマスクＭの厚み寸法と同程度またはマスクＭの厚み寸法よりも僅かに大きい値に設定している。
【００２４】
そして、左右一対の引っ掛け部３にそれぞれマスク本体部分Ｍ１の側縁を厚み方向に挟むことでマスク支持具１をマスクＭに取り付けることができる。図４に示すように、引っ掛け部３をマスク本体部分Ｍ１の側縁うち耳掛け部Ｍ２の付け根Ｍ２１に設定されていない部分に引っ掛けることで、耳掛け部Ｍ２の付け根Ｍ２１に過度な負荷が作用することを回避することができる。また、マスク本体部分Ｍ１にギャザーがある場合には、そのギャザーを引っ掛け部３で挟むことで、より安定した取付状態を維持することができる。なお、図４（ａ）はマスク支持具１をマスクＭに取り付けた状態をマスクＭの正面（前方）から見た図であり、同図（ｂ）はその要部拡大図である。
【００２５】
この取付状態では引っ掛け部３のうちアウターパーツ３２がマスクＭよりも優先して外に露出している。したがって、この露出している部分に、特定のマークや文字、イラスト等を付帯させることでマスク支持具１にオリジナル性を付与することが可能である。マーク等の装飾引っ掛け部３に付帯させる手段としては、刻印、印刷物の貼付、筆記具で直接記入等を挙げることができる。
【００２６】
ユーザは、マスク支持具１をマスクＭに取り付けた状態で耳掛け部Ｍ２を耳に掛けることによって、マスクＭを装着することができる。この装着状態で、マスクＭをユーザの口元から離れた位置に支持するマスク支持具１の支持具本体２が口元周辺に当たる位置に調整する。このような簡単な手順を経ることで、マスクＭが口元に直接当たらない装着状態になる。
【００２７】
このような本実施形態に係るマスク支持具１によれば、引っ掛け部３によってマスクＭの所定箇所を当該マスクＭの厚み方向の一方及び他方の両面から挟むことでマスクＭに簡単に取り付けることができ、この取付状態でユーザの口元周辺に支持具本体２が接触するため、マスクが口元に直接当たる装着態様と比較して、蒸れ難く、装着時の暑さを緩和してマスクＭの付け心地が向上するとともに、マスクＭを装着したまま、走ったり、素早い動作等を行った場合にマスク支持具１が装着当初の位置からずれてしまった場合にも、引っ掛け部３による挟み状態が解除されない限り、マスク支持具１によるマスクＭの良好な支持状態を維持することができ、マスク支持具１がマスクＭから抜け外れて落下する事態を回避することができる。このように、本実施形態のマスク支持具１は、マスクＭに取り付けた状態でマスクＭに対する相対位置が大きくずれることがなく、取り扱い性に優れる。
【００２８】
特に、本実施形態に係るマスク支持具１によれば、引っ掛け部３でマスクＭを挟んだ取付状態でマスクＭを装着することが可能になり、通常のマスクＭと同じように耳掛け部Ｍ２を耳に掛ける動作でマスクＭを装着することができ、また、装着していたマスクＭを取り外す場合に、片方の手でマスク支持具１及びマスクＭに手を添えずに耳掛け部Ｍ２を耳から外してもマスク支持具１が引っ掛け部３による挟み状態にある限りマスクＭから落下することもなく、マスクＭの装着時及び取り外し時に特別な動作がユーザに要求されず、これまでのマスクＭと同様の動作で行うことができ便利である。
【００２９】
加えて、本実施形態に係るマスク支持具１によれば、支持具本体２のうち少なくともユーザの人中（鼻と上唇の間にある溝）を跨ぐ位置に配置される部分が、ユーザの鼻先の高さと同程度の厚み寸法を有し且つ高さ方向に貫通する通気開口部２４を有するものであるため、鼻呼吸をする際の息苦しさを効果的に低減することができるとともに、通気開口部２４の存在によってマスク支持具１の軽量化を図ることができる。
【００３０】
特に、本考案に係るマスク支持具１は、リング状をなす支持具本体２の内周縁部に高さ方向に延伸する縦リブ２５及び幅方向に延伸する横リブ２６を設けたものであるため、口呼吸をする際にも外鼻孔から顎付近に亘ってマスクＭがユーザに直接当たらない良好な立体形状をリブ（縦リブ２５、横リブ２６）によって維持することができるとともに、支持具本体２の頑丈さも向上する。
【００３１】
また、口元周辺の骨格や肉付きは性別や年齢等によって異なる事情を考慮した場合に、本実施形態に係るマスク支持具１の少なくとも支持具本体２をオーダーメイド製品にすることも可能である。
【００３２】
本実施形態に係る支持具本体２は、洗って繰り返し使用することができ、マスクＭを取り替えながら支持具本体２を使用し続けることでユーザにとって経済的なメリットがある。
【００３３】
なお、本考案は上述した実施形態に限定されるものではない。例えば、マスク支持具のカラーバリエーションは適宜選択・変更することができ、透明または半透明の素材からなるものであってよい。
【００３４】
また、支持具本体や引っ掛け部の具体的な素材や形状も適宜選択することができる。
【００３５】
縦リブや横リブの数や配置も適宜変更することができ、縦リブのみ設けたものや、横リブのみ設けたものであってもよい。さらには、図５及び図６（図６（ａ），（ｂ），（ｃ），（ｄ）は、それぞれ変形例のマスク支持具１の正面図、平面図、右側面図、背面図である）に示すように、縦リブ及び横リブを設けてないマスク支持具１を採用することもできる。図７に、本変形例のマスク支持具１をマスクＭに取り付けた状態をマスクＭの背面（後方）から見た図を示す。なお、図５乃至図７、また後述の図８及び図９では、上述の実施形態に係るマスク支持具１の各パーツに対応する部分に同一の符号を付している。
【００３６】
また、通気開口部の数や形状も適宜変更することができ、例えば、図８及び図９（図９（ａ），（ｂ），（ｃ），（ｄ）,（ｅ）は、それぞれ変形例のマスク支持具１の正面図、平面図、右側面図、底面図、背面図である）に示すように、上下方向に貫通する丸孔によって通気開口部２４を形成することも可能である。なお、図８及び図９に示すマスク支持具１は、支持具本体２のうち上パーツ２１に丸孔（通気開口部２４）を形成し、下パーツ２２には丸孔（通気開口部２４）を形成していないものである。このような構成も本考案に包含されるものである。
【００３７】
本考案に係るマスク支持具を取り付けるマスクの種類は使い捨てタイプ（平面型タイプ）のものに限定されず、立体型タイプのものであってもよく、マスクの素材（マスク本体部分や耳掛け部の素材）もまた特に限定されない。
【００３８】
その他、各部の具体的構成についても上記実施形態に限られるものではなく、本考案の趣旨を逸脱しない範囲で種々変形が可能である。
【符号の説明】
【００３９】
１…マスク支持具
２…支持具本体
２４…通気開口部
２５…縦リブ
２６…横リブ
３…引っ掛け部
Ｍ…マスク
【図１】
0003229229.tif 000003
【図２】
0003229229.tif 000004
【図３】
0003229229.tif 000005
【図４】
0003229229.tif 000006
【図５】
0003229229.tif 000007
【図６】
0003229229.tif 000008
【図７】
0003229229.tif 000009
【図８】
0003229229.tif 000010
【図９】
0003229229.tif 000011